(57)【要約】【課題】バストの重みを適切に支えることができると共に、着心地の良さを得ることのできる上半身衣類を提供する。【解決手段】上半身衣類１は、本体部２と、左右一対の肩ストラップ部３とを備える。肩ストラップ部３は、本体部２の伸長性よりも低い伸長性を有する前ストラップ部２１と、本体部２の伸長性よりも低い伸長性を有する後ストラップ部２２とを有する。後ストラップ部２２は、後内端縁２２ａおよび後外端縁２２ｂに沿うように設けられて上下方向に延在する引上げサポート部２４を有する。引上げサポート部２４の下縁部２４ｂの外側下端点２４ｆは、頂部２６とアームホールＨの下端Ｈｂとの間の上下方向における距離Ｄｔを基準として頂部から７０〜１００％の領域に位置し、内側下端点２４ｅは外側下端点２４ｆよりも頂部２６に近く位置している。【選択図】図６
2020070532.tif 000002
【特許請求の範囲】
【請求項１】
着用者の胸を覆う前部と、前記着用者の背中の上部を覆う後部と、を有する本体部と、
前記前部の上縁部と前記後部の上縁部とに接続された左右一対の肩ストラップ部であって、左右方向の中心側に位置する第１端縁と前記第１端縁とは反対側に位置する第２端縁とを有し、前記第２端縁が左右一対のアームホールの少なくとも一部を形成する、前記肩ストラップ部と、を備え、
前記肩ストラップ部は、前記前部の前記上縁部に接続され、前記本体部の伸長性よりも低い伸長性を有する前ストラップ部と、前記後部の前記上縁部に接続され、前記本体部の伸長性よりも低い伸長性を有する後ストラップ部と、前記前ストラップ部と前記後ストラップ部との間に形成された頂部と、を有し、
前記後ストラップ部は、前記第１端縁および前記第２端縁に沿うように設けられて上下方向に延在するサポート部を有し、
前記サポート部の下縁部は、前記第１端縁側に位置する第１下端点と、前記第２端縁側に位置する第２下端点とを含み、前記第２下端点は、前記頂部と前記アームホールの下端との間の上下方向における距離を基準として前記頂部から７０〜１００％の領域に位置し、前記第１下端点は前記第２下端点よりも前記頂部に近く位置している、上半身衣類。
【請求項２】
前記サポート部の前記第１下端点は、前記頂部と前記アームホールの下端との間の上下方向における距離を基準として、前記第２下端点から１５〜３５％の領域に位置する、請求項１に記載の上半身衣類。
【請求項３】
前記後ストラップ部は、前記後部の上縁部に接続された後ストラップ本体部を有し、
前記サポート部は、前記後ストラップ本体部の裏面に結合されている、請求項１または２に記載の上半身衣類。
【請求項４】
前記前ストラップ部および前記本体部の前記前部には、前記第１端縁および前記第２端縁に沿うように設けられて上下方向に延在すると共に前記前部の左右の側部に重なり合うように配置された左右一対の第２サポート部が設けられている、請求項１〜３のいずれか一項に記載の上半身衣類。
【請求項５】
前記サポート部および前記第２サポート部が、前記後ストラップ部、前記頂部、前記前ストラップ部、および前記前部の前記側部にわたる領域に連続して設けられている、請求項４に記載の上半身衣類。
【発明の詳細な説明】
【技術分野】
【０００１】
本発明は、上半身衣類に関する。
【背景技術】
【０００２】
従来、特許文献１に記載されるように、伸縮性を有する生地によって形成されたハーフトップ等の上半身衣類が知られている。この衣類は、着用者のバスト周りの胴部を覆う本体部と、左右一対の肩ストラップ部と、着用者のバストを覆うカップ体とを備えている。肩ストラップ部は、着用時に着用者の両肩にそれぞれ正面から背面にかけて掛け渡され、上半身衣類の装着をサポートする。
【０００３】
一方、特許文献２に記載されるように、婦人用のブラジャー等の下着に整容帯が接合された衣類が知られている。この衣類では、下着の上半分のトップに、長さ方向にのみ伸縮可能な整容帯が接合されている。肩ひもには、肩整容帯が接合されている。また、特許文献３に記載されるように、本体布の裏側に、非伸縮性または伸縮性の小さい布が裏打ちされている妊産婦用ブラジャーが知られている。この衣類では、乳房用カップ部からストラップ部を通りバック布の側下辺部に至る部分に、裏打ち布が取り付けられている。
【先行技術文献】
【特許文献】
【０００４】
【特許文献１】国際公開第２０１７／１９１８０６号
【特許文献２】特開平１０−２９２２０９号公報
【特許文献３】実開平６−３７３０７号公報
【発明の概要】
【発明が解決しようとする課題】
【０００５】
上記した特許文献１に記載の衣類では、たとえば着用者のバストのサイズが大きい場合に、バストの重みで肩ストラップ部に力がかかり、生地が伸びてしまってバストを適切に引き上げられない可能性がある。その場合、着用者のバストシルエットを美しくすることができない。特許文献２，３に記載の衣類では、バストアップ効果等が考慮されているが、肩の部分に整容帯または布が取り付けられた構成が開示されるに過ぎず、着用者にとっての着心地が十分に考慮されているとは言えない。
【０００６】
本発明は、バストの重みを適切に支えることができると共に、着心地の良さを得ることのできる上半身衣類を提供することを目的とする。
【課題を解決するための手段】
【０００７】
本発明の一態様に係る上半身衣類は、着用者の胸を覆う前部と、着用者の背中の上部を覆う後部と、を有する本体部と、前部の上縁部と後部の上縁部とに接続された左右一対の肩ストラップ部であって、左右方向の中心側に位置する第１端縁と第１端縁とは反対側に位置する第２端縁とを有し、第２端縁が左右一対のアームホールの少なくとも一部を形成する、肩ストラップ部と、を備え、肩ストラップ部は、前部の上縁部に接続され、本体部の伸長性よりも低い伸長性を有する前ストラップ部と、後部の上縁部に接続され、本体部の伸長性よりも低い伸長性を有する後ストラップ部と、前ストラップ部と後ストラップ部との間に形成された頂部と、を有し、後ストラップ部は、第１端縁および第２端縁に沿うように設けられて上下方向に延在するサポート部を有し、サポート部の下縁部は、第１端縁側に位置する第１下端点と、第２端縁側に位置する第２下端点とを含み、第２下端点は、頂部とアームホールの下端との間の上下方向における距離を基準として頂部から７０〜１００％の領域に位置し、第１下端点は第２下端点よりも頂部に近く位置している。
【０００８】
この上半身衣類によれば、前ストラップ部と後ストラップ部において、本体部よりも伸長性が低くなっている。前ストラップ部と後ストラップ部の伸長性が低いことで、バストの重みで肩ストラップ部に力がかかった場合でも、生地が伸びてしまうことを防ぐことができる。よって、肩ストラップ部と本体部の前部との協働により、バストの重みを適切に支えることができる。ここで、後ストラップ部のサポート部は、上下方向に延びており、第２端縁側に位置する第２下端点は、頂部とアームホールの下端との間の上下方向における距離を基準として、頂部から７０〜１００％の領域に位置する。サポート部の下縁部（第２下端点）を、アームホールの下端に相当する位置または当該位置よりも少し上に位置させることで、アームホールの周縁部に力がかかり易くなり、上半身衣類が着用者の体により密着する。一方で、サポート部の下縁部がアームホールの下端までに終わっており、当該下端より下には延在しないので、本体部の後部にまでサポート部の影響は及ばない。そして、左右方向の中心側すなわち第１端縁側に位置する第１下端点が、第２下端点よりも頂部に近く位置していることで、着用された際、着用者の背中の中心部分の伸びが抑制されない。以上の作用によって、着心地の良さを得ることができる。
【０００９】
サポート部の第１下端点は、頂部とアームホールの下端との間の上下方向における距離を基準として、第２下端点から１５〜３５％の領域に位置してもよい。この構成によれば、サポート部による支持効果を得つつも、上記した背中に対する力がより好適に低減される。
【００１０】
後ストラップ部は、後部の上縁部に接続された後ストラップ本体部を有し、サポート部は、後ストラップ本体部の裏面に結合されてもよい。この構成によれば、サポート部は、後ストラップ本体部とは別体なので、後ストラップ部における伸長性の調整が容易である。
【００１１】
前ストラップ部および本体部の前部には、第１端縁および第２端縁に沿うように設けられて上下方向に延在すると共に前部の左右の側部に重なり合うように配置された左右一対の第２サポート部が設けられてもよい。この構成によれば、前ストラップ部および本体部の左右の側部に第２サポート部が設けられるので、着用者のバストを側方から支え、バストが脇へ流れてしまうことを防ぐことができる。
【００１２】
サポート部および第２サポート部が、後ストラップ部、頂部、前ストラップ部、および前部の側部にわたる領域に連続して設けられてもよい。この構成によれば、前ストラップ部および本体部の左右の側部に設けられた第２サポート部と、後ストラップ部に設けられたサポート部とが連動する。これらのサポート部および第２サポート部の協働により、バストの引き上げ効果が高められる。
【発明の効果】
【００１３】
本発明によれば、バストの重みを適切に支えることができ、さらには着心地の良さを得ることができる。
【図面の簡単な説明】
【００１４】
【図１】本開示の第１実施形態に係る上半身衣類を示す正面図である。
【図２】図１に示した上半身衣類の背面図である。
【図３】図１に示した上半身衣類を裏返して示す正面図である。
【図４】図１に示した上半身衣類を裏返して示す背面図である。
【図５】図１のＶ−Ｖ線に沿った断面図である。
【図６】図４の一部拡大図である。
【図７】肩ストラップ部に沿って上半身衣類を切断した断面図である。
【図８】図８（ａ）は上半身衣類の着用状態を斜め上方から見て示す図であり、図８（ｂ）は上半身衣類の着用状態を斜め後方から見て示す図である。
【発明を実施するための形態】
【００１５】
以下、本発明の実施形態について、図面を参照しながら説明する。なお、図面の説明において同一要素には同一符号を付し、重複する説明は省略する。なお、以下の説明では、便宜上、上半身衣類の着用状態を想定して「上」「下」等の用語を使用する。
【００１６】
まず、図１および図２を参照して、上半身衣類１の基本構成について説明する。上半身衣類１は、たとえばハーフトップとして構成されている。ハーフトップは、タンクトップと比較して丈が短く、着用者の腹部および腰部が露出するようになっている。上半身衣類１は、着用者のバスト周りの胴部を覆うように構成された本体部２と、左右一対の肩ストラップ部３，３と、着用者のバスト（胸）を覆う一体パッド４とを備えている。本明細書において、「胸」は、着用者の上半身における前側の上部の広い範囲を意味し、「バスト」は、胸のうち、着用者の乳房の部分を意味する。
【００１７】
本体部２は、伸縮性を有する生地であればよく、たとえば端始末不要の生地によって形成されている。このような生地としては、緯編地や経編地が用いられ、たとえばスムース、フライス、天竺、トリコット、ラッセルなどが挙げられる。本体部２は、着用者の胸を覆う前部５と、着用者の背中の上部を覆う後部６とを有する。前部５は、上半身衣類１を平置きした場合に前面に位置する部分であり、後部６は、上半身衣類１を平置きした場合に後面に位置する部分である。前部５と後部６とは、本体部２の両脇で連続し、着用者の胸周りを包囲するように筒状をなしている。図１および２に示されるように、本実施形態では、前部５の大部分をなす生地Ｍ１の横方向の端部Ｍ１ａ，Ｍ１ａと、と後部６の大部分をなす生地Ｍ２の横方向の端部Ｍ２ａ，Ｍ２ａとが、重なり合って接着されている。これらの接着部は、たとえば後部６側に形成されるが、本体部２は、このような構成に限られない。本体部２は、２箇所ではなく１箇所のみの接着部を有してもよいし、接着部を有さずに筒状の連続した生地から構成されてもよい。接着部に替えて縫着部が形成されてもよい。
【００１８】
前部５の上縁部５ａおよび後部６の上縁部６ａは、上半身衣類１の襟刳りに相当し、いずれも下方に向かって緩やかな凹状をなしている。前部５の下縁部５ｂおよび後部６の下縁部６ｂは、上半身衣類１の裾に相当する。前部５の下縁部５ｂは、横方向に延びる直線状となっており、後部６の下縁部６ｂは、前部５の下縁部５ｂよりもやや上方の位置で横方向に延びるように湾曲している。なお、前部５の下縁部５ｂが横方向に延びるように湾曲していてもよく、後部６の下縁部６ｂが、横方向に延びる直線状であってもよい。また、下縁部５ｂ、６ｂの直線状部、湾曲部が波型となっていてもよい。
【００１９】
前部５は、左右の側部１５，１５と、これらの側部１５，１５の間に配置された前中心部１７とを含む。後部６は、左右の側部１６，１６を含む。前部５の側部１５の側上部１５ａ，１５ａおよび後部６の側部１６の側上部１６ａ，１６ａは、上半身衣類１の袖刳りに相当し、いずれも中心側に向かって緩やかな凹状をなしている。前部５の側部１５の側下部１５ｂ，１５ｂおよび後部６の側部１６の側下部１６ｂ，１６ｂは、上半身衣類１の脇裾に相当し、下方に向かって本体部２の身幅が小さくなるように垂下する直線状をなしている。
【００２０】
肩ストラップ部３は、前部５の上縁部５ａと後部６の上縁部６ａとを繋ぐように帯状に設けられている。肩ストラップ部３は、たとえば本体部２と同じ端始末不要の伸縮性を有する生地によって、本体部２と一体に形成されている。肩ストラップ部３は、着用時に着用者の両肩にそれぞれ正面から背面にかけて掛け渡され、上半身衣類１の装着をサポートする。
【００２１】
肩ストラップ部３は、前部５の上縁部５ａに接続された前ストラップ部２１と、後部６の上縁部６ａに接続された後ストラップ部２２と、前ストラップ部２１と後ストラップ部２２との間に形成された頂部２６とを有する。前ストラップ部２１は、本体部２の前部５と一体に形成され、前部５から頂部２６に向けて徐々に狭くなる幅を有する前ストラップ本体部２３を含む。後ストラップ部２２は、本体部２の後部６と一体に形成され、後部６から頂部２６に向けて徐々に狭くなるが頂部２６付近では一定となる幅を有する後ストラップ本体部２５を含む。前ストラップ本体部２３の上端部と後ストラップ本体部２５の上端部とが重なり合って接着または縫着によって結合されてもよい。その結合部が頂部２６を形成してもよい。前ストラップ本体部２３と後ストラップ本体部２５とは、一体の生地からなり、頂部２６を介して切れ目なく連続していてもよい。
【００２２】
前ストラップ部２１は、左右方向の中心側に位置する前内端縁（第１端縁）２１ａと、前内端縁２１ａとは反対側に位置する前外端縁（第２端縁）２１ｂとを含む。後ストラップ部２２は、左右方向の中心側に位置する後内端縁（第１端縁）２２ａと、後内端縁２２ａとは反対側に位置する後外端縁（第２端縁）２２ｂとを含む。前外端縁２１ｂ、後外端縁２２ｂ、前部５の側上部１５ａ、および後部６の側上部１６ａによって、左右一対のアームホールＨが形成されている。すなわち、前ストラップ部２１の前外端縁２１ｂと後ストラップ部２２の後外端縁２２ｂとが、左右一対のアームホールＨの少なくとも一部を形成する。
【００２３】
一方、一体パッド４は、バストの整形や着用者の乳頭が透けてしまうことの防止などを目的として前部５に配置されている。一体パッド４は、左右一対のパッド１１，１１と、パッド１１，１１を前中心側で連結する連結部１２とを有している。パッド１１，１１および連結部１２は、たとえばウレタンなどの弾性材料を用いたモールド成型による一体成型品となっている。一体パッド４、パッド１１は、一体カップ、カップと称してもよい。前部５は、各パッド１１の中央部分（もとも突出した部分）において、バストトップ部５ｃを有する。このバストトップ部５ｃは、着用者のバストトップに対応する位置に形成され、着用者のバストトップを覆う。
【００２４】
パッド１１は、全体として着用者のバスト形状に対応する椀形状をなしており、正面視においては円に近い形状を有している。連結部１２は、左右のパッド１１，１１に対して上下にくびれた形状をなしている。一体パッド４のパッド１１，１１および連結部１２の形状は、一体パッド４が着用者のバストにフィットするように、適宜に決定されている。なお、一体パッド４は、一体成型品である構成に限られない。連結部１２が省略され、独立した２つのパッド１１，１１が用いられてもよい。
【００２５】
続いて、図１および図３を参照して、上半身衣類１が前部５の裏面側に備える構成について詳細に説明する。図３は、上半身衣類１を裏返して示す正面図である。図３に示されるように、上半身衣類１は、前部５の裏側に配置されたパッド受け布１３を備える。パッド受け布１３は、前部５の裏面に結合されている。このパッド受け布１３の結合により、前部５の裏側には、一体パッド４を収容する空間であるパッド収容部Ｓが形成されている。すなわち、本体部２の前部５とパッド受け布１３との間に、パッド収容部Ｓが形成されている。パッド収容部Ｓの形成にあたり、パッド受け布１３との結合後に前部５およびパッド受け布１３への熱成型加工が施されてもよい。これにより、前部５において生地の立体感を造形でき、着用者のバスト形状および一体パッド４の膨らみに対応したパッド収容部Ｓを構成できる。この場合、前部５およびパッド受け布１３の伸縮性、伸長回復性などの素材特性により、前部５およびパッド受け布１３のそれぞれに熱成型加工を施すか否かを選定することが好ましい。これにより、前部５の着圧が適切に調整され、バストの安定感が高められる。
【００２６】
パッド受け布１３は、たとえば本体部２と同じ端始末不要の伸縮性を有する生地によって形成されている。パッド受け布１３の上縁部１３ａは、前部５の上縁部５ａの湾曲形状に沿うように、下方に向かって緩やかな凹状をなしている。パッド受け布１３の上縁部１３ａの両脇部分には、肩ストラップ部３の前ストラップ本体部２３と同程度の幅をもって上方に張り出す延長部１４がそれぞれ設けられている。延長部１４は、前ストラップ本体部２３の裏側に配置され、肩ストラップ部３の頂部２６に達している。延長部１４は、肩ストラップ部３の前ストラップ本体部２３に重ね合され、前ストラップ本体部２３の伸びが過剰になることを抑制する。すなわち、延長部１４は、前ストラップ本体部２３の伸長性を低減させる。パッド受け布１３の下縁部１３ｂは、前部５の下縁部５ｂの形状に対応した直線形状をなしている。なお、パッド受け布１３の下縁部１３ｂは、一体パッド４の下縁部分の形状に対応した湾曲形状をなしてもよい。
【００２７】
上記の構成により、前ストラップ部２１は、本体部２よりも低い伸長性を有する。伸長性は、ある生地に対してある方向に所定の荷重をかけた際に、元の長さに対してその方向に生地が伸びる割合、すなわち伸長率によって測定され得る。たとえば、衣類のある部分が他の部分よりも低い伸長性を有するということは、上記のように測定された、ある部分の伸長率が他の部分の伸長率よりも小さいことを意味する。
【００２８】
パッド受け布１３は、本体部２の前部５の外形に略等しい外形を有する。パッド受け布１３の大きさは、本体部２を平置きした場合の前部５の大きさと略同じか、前部５の大きさよりも僅かに小さい。
【００２９】
パッド受け布１３は、左右の側部１８，１８と、これらの側部１８，１８の間に配置された中央部１９と、上記の延長部１４，１４とを含む。パッド受け布１３の側部１８の側上部１８ａ，１８ａは、前部５の左右の側上部１５ａ，１５ａの湾曲形状に沿った湾曲形状をなしている。また、パッド受け布１３の側部１８の側下部１８ｂ，１８ｂは、前部５の左右の側下部１５ｂ，１５ｂに沿った略直線状をなしている。
【００３０】
本実施形態では、パッド受け布１３は、本体部２の前部５の裏面に接着されている。パッド受け布１３の延長部１４は、前ストラップ本体部２３の裏面に接着されている。より詳細には、パッド受け布１３の表面１３ｅ側における周縁部に接着剤ＡＤが塗布され、パッド受け布１３の表面１３ｅが前部５の裏面に貼り合わされている。これにより、図３に示されるように、前部５とパッド受け布１３との間には、パッド収容部Ｓの周囲の領域において接着部Ａが形成されている。接着部Ａは、パッド収容部Ｓよりも上（すなわち上縁部１３ａ側）に形成された上接着領域Ａａと、パッド収容部Ｓよりも下（すなわち下縁部１３ｂ側）に形成された下接着領域Ａｂと、パッド収容部Ｓの左右の両側に形成された一対の側接着領域Ａｃ，Ａｃと、上接着領域Ａａおよび側接着領域Ａｃ，Ａｃに連続するように延長部１４の部分に形成された左右一対の延長接着領域Ａｄとを含む。接着部Ａは、所望のパッド収容部Ｓの大きさ、形状、および位置に対応して、パッド収容部Ｓを除く領域に形成される。
【００３１】
このように、接着部Ａは、パッド受け布１３の周縁部に形成されている。前部５にパッド受け布１３を結合させることにより、パッド収容部Ｓを形成するとともに、接着部Ａが前部５の伸長性を低減させている。言い換えれば、前部５の強度を高めている。
【００３２】
接着部Ａの下接着領域Ａｂとパッド収容部Ｓとの間には、左右の２箇所において下方に膨れるように湾曲するバージスライン（登録商標）Ｌが形成されている。各バージスラインＬは、パッド１１の下縁部に対応する湾曲形状をなしている。なお、バージスラインとは、一般的に、着用者のバストの膨らみの下部境界ラインを意味する。本明細書においては、バージスラインは、そのバストの膨らみの下部境界ラインに対応する、上半身衣類の位置（線状の部分)を意味する。なお、バージスラインは、サイズ毎に様々な着用者に適合し易い形状を設定している。
【００３３】
パッド受け布１３の中央部１９には、一体パッド４におけるパッド１１、１１の連結方向（すなわち、上半身衣類１を正面から見た場合の左右方向）に延びる開口部２０が形成されている。開口部２０は、パッド収容部Ｓに対して一体パッド４を着脱するための部分である。開口部２０は、たとえばパッド受け布１３に直線状の切り込みを入れることによりスリット状に形成されている。パッド受け布１３に伸縮性を有する生地を用いている場合には、直線状の切り込みを入れることで、上下端が尖った略楕円形状の開口部２０が形成される。
【００３４】
開口部２０は、接着部Ａには重ならない領域に形成される。開口部２０は、パッド収容部Ｓ内に配置された一体パッド４における連結部１２の縁部と重ならない位置に設けられている。開口部２０は、たとえば、前中心部分において一体パッド４の連結部１２の上縁部よりも上方に位置している。したがって、開口部２０からはパッド収容部Ｓ内の一体パッド４自体が露出せず、前部５の裏側の生地のみが開口部２０を通して視認し得る状態となっている。なお、開口部２０の位置、形状、大きさは、適宜に変更されてもよい。たとえば、一体パッド４が別個の２つのパッド１１，１１を有する場合には、これらのパッド１１，１１を着脱するための２つの開口部が形成されてもよい。
【００３５】
続いて、図３および図５を参照して、上半身衣類１が前部５の裏面側に備える構成について、更に詳細に説明する。図５は、図１のＶ−Ｖ線に沿った断面図である。図３および図５に示されるように、パッド受け布１３の裏面１３ｆには、左右一対の脇サポート部（第２サポート部）３０，３０が縫着されている。たとえば、脇サポート部３０，３０の周縁部が全体にわたって縫着されている。脇サポート部３０，３０の周縁部の一部分（一部の辺等）は縫着されておらず、周縁部の他の部分（他の辺等）が縫着されていてもよい。脇サポート部３０は、たとえば本体部２と同じ端始末不要の伸縮性を有する生地（布）によって形成されている。脇サポート部３０を形成する生地は、本体部２と同様であってもよく、本体部２を形成する生地と異なってもよい。脇サポート部３０を形成する生地の伸縮性（又は伸長性）は、本体部２を形成する生地の伸縮性（又は伸長性）と同じであってもよいし、本体部２を形成する生地の伸縮性（又は伸長性）より低くてもよい。各脇サポート部３０は、パッド受け布１３の側部１８を覆うように設けられている。より詳細には、各脇サポート部３０は、パッド受け布１３の側部１８と延長部１４とに重なり合うように設けられている。
【００３６】
脇サポート部３０は、パッド受け布１３の側部１８に重なり合う脇サポート本体部３１と、パッド受け布１３の延長部１４に重なり合う脇サポート延長部３２とを有する。各脇サポート本体部３１は、パッド受け布１３の下縁部１３ｂに略一致する直線状の下辺３１ｅと、パッド受け布１３の側下部１８ｂに略一致する直線状の下側辺３１ｆと、パッド受け布１３の側上部１８ａに略一致する湾曲形状の上側辺３１ｇとを含む。脇サポート本体部３１に連続して一体に形成された脇サポート延長部３２は、前内端縁２１ａおよび前外端縁２１ｂに沿うように設けられており、所定の幅を有する。脇サポート延長部３２は、上下方向に延在しており、その上端部は肩ストラップ部３の頂部２６に達している。脇サポート延長部３２は、延長部１４の幅に略一致する幅を有する。なお、パッド受け布の各部に略一致する脇サポート部の各辺は、パッド受け布の各辺のやや内側であることが好ましい。
【００３７】
各脇サポート部３０は、本体部２の前部５の各側部１５に重なり合うように配置されている。各脇サポート部３０は、パッド収容部Ｓに相当する領域と、側接着領域Ａｃに相当する領域との両方に設けられている。これにより、脇サポート部３０は、着用者のバストの外側部を覆うように構成されている。すなわち、前ストラップ部２１および本体部２の前部５には、前内端縁２１ａおよび前外端縁２１ｂに沿うように設けられて上下方向に延在し、さらに前部５の左右の側部１５に重なり合うように配置された左右一対の脇サポート部３０が設けられている。本明細書において、「重なり合う」とは、生地と生地とが対面して直接接触することができる状態と、生地と生地とが、他の別の１又は複数の生地および／または部材を介して対面する状態（したがってこれらの生地は接触しない）と、の両方を含む意である。言い換えれば、「重なり合う」とは、生地の厚み方向から見て（たとえば前部５に対しては正面視において）、同じ領域に設けられていることを意味する。
【００３８】
図３および図５に示されるように、各脇サポート本体部３１は、パッド収容部Ｓに重なり合うパッド重なり部３１ａと、パッド重なり部３１ａの左右の外側に配置されて側接着領域Ａｃに重なり合う側端部３１ｂとを含む。脇サポート部３０は、パッド収容部Ｓ上で上下方向に延在する（上縁部１３ａと下縁部１３ｂの間に延在する）左右一対の前中心側端部３１ｃを含む。図３に示されるように、脇サポート本体部３１の下側辺３１ｆおよび上側辺３１ｇとは反対側の端部である前中心側端部３１ｃは、左右の外方に向かって緩やかな凹状をなしている。前中心側端部３１ｃは、上記したバージスラインＬの左右の下端部Ｌａにそれぞれ交差している。ここで、バージスラインＬの下端部Ｌａとは、バージスラインＬの中でもっとも下に位置する点のみを意味すると解されるべきではなく、その点を含む半径１ｃｍ程度の領域を意味すると解されるべきである。
【００３９】
図３および図５に示されるように、脇サポート部３０の前中心側端部３１ｃは、前部５のバストトップ部５ｃよりも外側を通っている。
【００４０】
続いて、図２、図４、図６および図７を参照して、上半身衣類１が肩ストラップ部３の裏面側に備える構成について説明する。図２は、図１に示した上半身衣類の背面図である。図４は、図１に示した上半身衣類を裏返して示す背面図である。図６は、図４の一部拡大図である。図７は、肩ストラップ部に沿って上半身衣類を切断した断面図である。図２および図４に示されるように、後ストラップ本体部２５の裏面には、後内端縁２２ａおよび後外端縁２２ｂに沿うように設けられて所定の幅を有する引上げサポート部（サポート部）２４が接着されている。引上げサポート部２４は、上下方向に延在しており、その上縁部２４ａは肩ストラップ部３の頂部２６に達している。引上げサポート部２４の下縁部２４ｂは、後ストラップ本体部２５の下端部すなわち後部６の上縁部６ａ付近に位置している。引上げサポート部２４は、肩ストラップ部３の後ストラップ本体部２５に重ね合され、後ストラップ本体部２５の伸びが過剰になることを抑制する。すなわち、引上げサポート部２４は、後ストラップ本体部２５の伸長性を低減させる。
【００４１】
上記の構成により、後ストラップ部２２は、本体部２よりも低い伸長性を有する。引上げサポート部２４は、たとえば本体部２と同じ端始末不要の伸縮性を有する生地（布）によって形成されている。引上げサポート部２４を形成する生地は、本体部２と同様であってもよく、本体部２を形成する生地と異なってもよい。引上げサポート部２４を形成する生地の伸縮性（又は伸長性）は、本体部２を形成する生地の伸縮性（又は伸長性）と同じであってもよいし、本体部２を形成する生地の伸縮性（又は伸長性）より低くてもよい。引上げサポート部２４についてより詳細に説明する。図６に示されるように、引上げサポート部２４は、後内端縁２２ａに沿って延びる直線状の内側縁（第１側縁）２４ｃと、後外端縁２２ｂに沿って延びる直線状の外側縁（第２側縁）２４ｄとを含む。引上げサポート部２４は、上縁部２４ａ、下縁部２４ｂ、内側縁２４ｃ、および外側縁２４ｄによって囲まれた所定の面積を有する。引上げサポート部２４の面積は、たとえば、後ストラップ本体部２５の面積よりも小さい。内側縁２４ｃが後内端縁２２ａに重なってもよく、外側縁２４ｄが後外端縁２２ｂに重なってもよいが、内側縁２４ｃおよび外側縁２４ｄは、後内端縁２２ａおよび後外端縁２２ｂから、それぞれ僅かに離れていてもよい。内側縁２４ｃは後内端縁２２ａに平行に延びてもよく、外側縁２４ｄは後外端縁２２ｂに平行に延びてもよい。また、外側縁２４ｄが、後外端縁２２ｂに平行に延び、さらにその下端においてアームホールＨに沿って湾曲または折曲してもよい。
【００４２】
引上げサポート部２４の下縁部２４ｂは、後内端縁２２ａ側に位置する内側下端点（第１下端点）２４ｅと、後外端縁２２ｂ側に位置する外側下端点（第２下端点）２４ｆと、これらの内側下端点２４ｅおよび外側下端点２４ｆを接続して下方に僅かに膨れるように湾曲する湾曲部２４ｇとを含む。引上げサポート部２４の下縁部２４ｂは、アームホールＨの下端Ｈｂよりも上方に位置してもよいし、上下方向においてアームホールＨの下端Ｈｂに揃うように位置してもよい。より詳細には、外側下端点２４ｆは、頂部２６とアームホールＨの下端Ｈｂとの間の上下方向における距離Ｄｔを基準として、頂部２６から７０〜１００％の領域に位置している。すなわち、頂部２６と外側下端点２４ｆとの間の上下方向における距離Ｄ２は、距離Ｄｔの７０〜１００％の範囲内に設定されている。距離Ｄ２は、距離Ｄｔの７５〜１００％の範囲内であってもよく、８０〜１００％の範囲内であってもよい。距離Ｄ２は、距離Ｄｔの７０〜９５％の範囲内であってもよく、７０〜９０％の範囲内であってもよい。距離Ｄ２は、距離Ｄｔの８０〜９０％の範囲内であってもよい。外側下端点２４ｆの位置（高さ）は、引上げサポート部２４に求められるアームホールＨ周りのパワーによって、適宜に決定され得る。なお、距離Ｄｔおよび距離Ｄ２は、頂部２６を起点として定義されるが、当該起点は、上半身衣類１を平置きした状態における頂部２６上の任意の点であってよい。たとえば、図６に示される例では、その起点は、上半身衣類１を平置きした状態における頂部２６上の左右方向の中央に位置する。しかし、その起点が、上半身衣類１を平置きした状態における頂部２６上の左端（後中心側端）または右端（アームホール側端）に位置してもよい。なお、上半身衣類１を平置きした状態で、頂部２６が左右方向線に一致する場合（高さ一定の場合）は、頂部２６上のどの点を採っても、距離Ｄｔおよび距離Ｄ２は変化しない。
【００４３】
さらに、引上げサポート部２４では、内側下端点２４ｅは、外側下端点２４ｆよりも頂部２６に近く位置している。すなわち、内側下端点２４ｅは、外側下端点２４ｆよりも上方に位置している。内側下端点２４ｅは、上記距離Ｄｔを基準として、外側下端点２４ｆから１５〜３５％の領域に位置している。すなわち、内側下端点２４ｅと外側下端点２４ｆとの間の上下方向における距離Ｄ３は、距離Ｄｔの１５〜３５％の範囲内に設定されている。距離Ｄ３は、距離Ｄｔの２０〜３５％の範囲内であってもよく、２５〜３５％の範囲内であってもよい。距離Ｄ３は、距離Ｄｔの１５〜３０％の範囲内であってもよく、１５〜２５％の範囲内であってもよい。距離Ｄ２は、距離Ｄｔの２０〜３０％の範囲内であってもよい。内側下端点２４ｅの位置（高さ）は、引上げサポート部２４に求められる後部６側のパワーによって、適宜に決定され得る。
【００４４】
図７に示されるように、パッド受け布１３の延長部１４および脇サポート部３０の脇サポート延長部３２と、引上げサポート部２４とは、頂部２６において重ね合わされ、前ストラップ本体部２３および後ストラップ本体部２５に対して一体に縫合されている。これにより、頂部２６では、生地が５重に重なった構造が形成されている（図７参照）。そして、上半身衣類１では、引上げサポート部２４および脇サポート部３０が、後ストラップ部２２、頂部２６、前ストラップ部２１、および前部５の側部１５にわたる領域に連続して設けられている。
【００４５】
続いて、上半身衣類１の製造方法について説明する。まず、パッド受け布１３上の左右の側部１８の位置に、左右一対の脇サポート部３０を配置し、パッド受け布１３に脇サポート部３０を縫着する（縫着工程）。次に、脇サポート部３０が縫着されたパッド受け布１３の周縁部に、接着剤を塗布する（塗布工程）。この際、パッド受け布１３の表面に、接着剤を塗布する。接着剤としては、たとえば、熱可塑性の接着剤等が用いられ得る。ただし、接着剤の種類は特に限定されない。接着剤は、接着部Ａに対応する領域、すなわちパッド収容部Ｓが予定される領域を除く領域に塗布される。一方、引上げサポート部２４を用意し、引上げサポート部２４の表面に、パッド受け布１３の場合と同様にして接着剤を塗布する。
【００４６】
次に、前部５の大部分をなす生地Ｍ１（前ストラップ本体部２３を含む）の裏面にパッド受け布１３を接着し、後部６の大部分をなす生地Ｍ２の後ストラップ本体部２５の裏面に引上げサポート部２４を接着する（接着工程）。この接着工程では、接着剤の種類や生地Ｍ１，Ｍ２の種類等に応じて、公知の方法から適切な方法が選択され得る。
【００４７】
そして、接着工程の後、前部５の大部分をなす生地Ｍ１の横方向の端部Ｍ１ａ，Ｍ１ａと、後部６の大部分をなす生地Ｍ２の横方向の端部Ｍ２ａ，Ｍ２ａとを重ねて接着する。その後、パッド受け布１３の延長部１４および脇サポート部３０の脇サポート延長部３２と、引上げサポート部２４とを、頂部２６において重ね合せ、前ストラップ本体部２３および後ストラップ本体部２５に対して一体に縫着する（本体部形成工程）。そして、一体パッド４を、開口部２０を通じてパッド収容部Ｓに収容し（パッド収容工程）、本体部２を表向きに戻す。これら一連の工程を行った結果、後ストラップ部２２に引上げサポート部２４が結合され、前ストラップ部２１および前部５にパッド受け布１３および脇サポート部３０が結合された構成を備える上半身衣類１を得る。
【００４８】
本実施形態の上半身衣類１によれば、前ストラップ部２１と後ストラップ部２２において、本体部２よりも伸長性が低くなっている。前ストラップ部２１と後ストラップ部２２の伸長性が低いことで、バストの重みで肩ストラップ部３に力がかかった場合でも、生地が伸びてしまうことを防ぐことができる。図８（ａ）に示されるように、前ストラップ部２１および後ストラップ部２２の伸びが抑制されている。なお、図８（ａ）および図８（ｂ）において、矢印の長さは、伸長性の高さ即ち伸び易さを表している。すなわち、矢印が長いほど、その部分の伸長性は高い。矢印が長いほど、その部分が伸び易い。図８（ａ）および図８（ｂ）に示されるように、前ストラップ部２１および後ストラップ部２２の延在方向の各伸長性は、後ストラップ部２２の下方における後部６の上下方向の伸長性よりも低い。よって、肩ストラップ部３と本体部２の前部５との協働により、バストの重みを適切に支えることができる。後ストラップ部２２の引上げサポート部２４は、上下方向に延びており、後外端縁２２ｂ側に位置する外側下端点２４ｆは、頂部２６とアームホールＨの下端Ｈｂとの間の上下方向における距離Ｄｔを基準として、頂部２６から７０〜１００％の領域に位置する。引上げサポート部２４の下縁部２４ｂ（外側下端点２４ｆ）を、アームホールＨの下端Ｈｂに相当する位置または当該位置よりも少し上に位置させることで、図８（ｂ）に示されるように、アームホールＨの周縁部に力がかかり易くなり、上半身衣類１が着用者の体により密着する。一方で、引上げサポート部２４の下縁部２４ｂがアームホールＨの下端Ｈｂまでに終わっており、当該下端Ｈｂより下には延在しないので、本体部２の後部６にまで引上げサポート部２４の影響は及ばない。そして、左右方向の中心側すなわち後内端縁２２ａ側に位置する内側下端点２４ｅが、外側下端点２４ｆよりも頂部２６に近く位置していることで、着用された際、着用者の背中の中心部分の伸びが抑制されない（図８（ｂ）の左右方向の矢印参照）。以上の作用によって、着心地の良さを得ることができる。さらに上半身衣類１では、引上げサポート部２４において、アームホールＨ側とネック側とにおいて形状および長さを変化させることで、伸び止め効果がグラデーションになり、パワー分散が実現され、着装感における違和感が緩和されている。
【００４９】
内側下端点２４ｅが、距離Ｄｔを基準として、外側下端点２４ｆから１５〜３５％の領域に位置しているので、引上げサポート部２４による支持効果を得つつも、上記した背中に対する力がより好適に低減される。
【００５０】
引上げサポート部２４が、後ストラップ本体部２５の裏面に結合されており、引上げサポート部２４が、後ストラップ本体部２５とは別体なので、後ストラップ部２２における伸長性の調整が容易である。
【００５１】
前ストラップ部２１および本体部２の左右の側部１５に脇サポート部３０が設けられるので、着用者のバストを側方から支え、バストが脇へ流れてしまうことを防ぐことができる。
【００５２】
前ストラップ部２１および本体部２の左右の側部１５に設けられた脇サポート部３０と、後ストラップ部２２に設けられた引上げサポート部２４とが連動する。これらの引上げサポート部２４および脇サポート部３０の協働により、バストの引き上げ効果が高められる。
【００５３】
以上、本発明の実施形態について説明したが、本発明は上記実施形態に限られない。たとえば、引上げサポート部２４は、接着に限られず、縫着により後ストラップ本体部２５に結合されてもよい。脇サポート部３０（脇サポート本体部３１および脇サポート延長部３２）は、縫着に限られず、接着により前部５またはパッド受け布１３に結合されてもよい。引上げサポート部２４および脇サポート部３０は、何らかの方法で本体部に結合されていればよい。
【００５４】
引上げサポート部２４の側辺である内側縁２４ｃおよび外側縁２４ｄは、直線状に限られない。引上げサポート部２４の内側縁２４ｃおよび外側縁２４ｄは、たとえば波線状であってもよい。内側縁２４ｃおよび外側縁２４ｄのいずれか一方が直線状であり、いずれか他方が波線状であってもよい。内側縁２４ｃが、後内端縁２２ａに平行でなくてもよい。外側縁２４ｄが、後外端縁２２ｂに平行でなくてもよい。内側縁２４ｃおよび／または外側縁２４ｄが、上下方向のいずれかの位置に、１つ又は複数の凹部を有してもよい。内側下端点２４ｅおよび外側下端点２４ｆを接続する部分（引上げサポート部２４の底辺部）は、上記実施形態のような湾曲部２４ｇに限られず、直線状であってもよいし、凹状であってもよいし、波線状であってもよい。
【００５５】
引上げサポート部２４および／または脇サポート部３０が、本体部に対する編構造の切替え（パワー切替え）によって形成されてもよい。すなわち、引上げサポート部２４および／または脇サポート部３０は、本体部と別体である場合に限られず、本体部内に形成されてもよい。引上げサポート部２４および／または脇サポート部３０が、本体部に対する抜蝕加工または樹脂プリントによって形成されてもよい。
【００５６】
肩ストラップ部３の構成も上記実施形態に限られない。例えば襟刳りの端始末をパイピングとし、袖刳りの端始末をパイピングとして、肩ストラップ部３を構成してもよい。上半身衣類１の裾に相当する前部５の下縁部５ｂ及び後部６の下縁部６ｂは、湾曲状や波線状であってもよい。また、袖刳り及び襟刳りは、波線状であってもよい。
【００５７】
脇サポート部３０が省略されてもよい。前ストラップ部２１が、強度の高い１枚の生地から形成されてもよい。パッド受け布１３が省略されてもよく、一体パッド４が省略されてもよい。
【符号の説明】
【００５８】
１…上半身衣類、２…本体部、３…肩ストラップ部、４…一体パッド、５…前部、６…後部、１１…パッド、１３…パッド受け布、１５…（前部の）側部、１６…（後部の）側部、１８…（パッド受け布の）側部、２１…前ストラップ部、２２…後ストラップ部、２３…前ストラップ本体部、２４…引上げサポート部（サポート部）、２４ａ…上縁部、２４ｂ…下縁部、２４ｅ…内側下端点（第１下端点）、２４ｆ…外側下端点（第２下端点）、２５…後ストラップ本体部、３０…脇サポート部（第２サポート部）、３１…脇サポート本体部、３１ｃ…前中心側端部、３２…脇サポート延長部、Ｈ…アームホール、Ｈｂ…下端。
【図１】
2020070532.tif 000003
【図２】
2020070532.tif 000004
【図３】
2020070532.tif 000005
【図４】
2020070532.tif 000006
【図５】
2020070532.tif 000007
【図６】
2020070532.tif 000008
【図７】
2020070532.tif 000009
【図８】
2020070532.tif 000010